(57)【要約】      （修正有）【課題】間取りに設定されている東西南北の向きや道路が面すべき方向を勘案して、当該間取りの建物が現実的に建築可能な土地を検索・提案ができる不動産情報検索装置を提供する。【解決手段】不動産情報検索装置１は、利用者端末２から、間取りの指定を受信すると、間取り情報記憶部１Ｂを参照して、指定された間取りの間取り情報を抽出した上、土地情報記憶部１Ａを参照して、指定された間取りの建物が建築可能な土地を検索し、利用者端末２に対し、検索結果に基づき、指定された間取りの建物が建築可能な土地の情報を送信する。検索処理部１２は、土地情報記憶部１Ａに記憶されている土地について、指定された間取りの間取り側条件に合致する土地側条件を備えているか否かを判断し、間取りの間取り方角によって、指定された間取りの間取り形状が収まる土地形状であるか否かを判断する。【選択図】図１
2020009480.tif 000002
【特許請求の範囲】
【請求項１】
所定の土地に建築可能な建物の間取りを提案する装置であって、
上記所定の土地の形状に係る土地形状と、上記所定の土地の東西南北の方角に係る土地方角とを含む土地情報を記憶した土地情報記憶手段と、
間取りの形状に係る間取り形状と、当該間取りに設定されている東西南北の方角に係る間取り方角とを含む間取り情報を記憶した間取り情報記憶手段と、
上記土地情報記憶手段と上記間取り情報記憶手段を参照して、上記間取りに設定されている東西南北の向きについて、所定の角度の範囲内であれば上記所定の土地の土地形状に収まる間取りを検索する検索処理手段と、を有する、
ことを特徴とする不動産情報検索装置。
【発明の詳細な説明】
【技術分野】
【０００１】
本発明は、所定の間取りの建物が建築可能な土地や所定の土地に建築可能な建物の間取りを検索する技術に関する。
【背景技術】
【０００２】
近時、建設業界では、消費増税や円安による資材費の高騰といったマイナス要因を抱えつつも、各種の補助金や過去最低水準を記録する住宅ローン金利など、戸建住宅や住宅用土地の販売はなお、後押しされている。
【０００３】
一般に、住宅メーカーが顧客に住宅を販売する場合、注文住宅では、住宅メーカーが提案する間取りの中から顧客が所望の間取りを指定し、当該指定された間取りの建物が建築可能な土地を探すことがよくある。しかし、建ぺい率や容積率など、土地ごとに建築条件等があるため、そのようなことに慣れていない顧客が、所定の間取りの建物が建築可能な土地を探すのは難しい。一方、住宅メーカー側が土地を探すにしても、土地の周辺環境等、顧客の詳細な希望を把握しながら探すのは手間がかかる。
【０００４】
また、建物の購入を予定して土地を購入する際には、購入後の建物の建築イメージを予め想定するが、特に不慣れな個人の購入者等では、実際のイメージを正確に認識することが難しい。
そのため、土地の購入の際に、購入後に建築可能な建物のイメージを正確に認識することができれば、購入者は安心して土地購入の契約を結ぶことができる。
【０００５】
この点、特許文献１では、管理者が管理するサーバーに組み込まれている住宅販売支援システム本体と、利用者の端末及び管理者の端末とがインターネットを介して接続されており、上記住宅販売支援システム本体は、利用者向け機能部群、利用者向けのプラン作成ワークスペース、プラン情報保存部、利用者登録情報保存部及び管理者向け機能部群を備えており、上記利用者向け機能部群は、土地入力用の機能部、間取りプラン選択用の機能部、間取りプランはめ込み用の機能部及び上記各機能部にそれぞれ接続されているナビゲーション用の機能部を備えており、上記利用者向けのプラン作成ワークスペースは、上記利用者向け機能部群と接続されており、保存手段によって上記土地入力用の機能部から出力される土地情報を保存可能であると共に、間取りプラン選択用の機能部から出力された間取りプランに基づいて住宅の容積率及び建ぺい率などを演算する演算手段を備えており、上記プラン情報保存部は、上記利用者向け機能部群及び管理者向け機能部群と接続されており、上記間取りプラン選択用の機能部に対して間取りプラン情報を出力することができるものであり、上記利用者登録情報保存部は、管理者の端末に接続されていると共に、管理者向け機能部群に対して利用者登録情報を出力することができるものであることを特徴とする住宅販売支援システムが提案されている。
【先行技術文献】
【特許文献】
【０００６】
【特許文献１】特開２００７−３１６８１９号公報
【発明の概要】
【発明が解決しようとする課題】
【０００７】
上記特許文献１記載のシステムによれば、住宅の容積率や建ぺい率といった情報に基づき、所定の土地に対して所定の間取りからなる建物が建築可能かどうかを判別することができる。
しかしながら、単に容積率や建ぺい率といった情報で判別するだけでは、所定の土地に対して所定の間取りからなる建物を建築することが実際的かどうかは必ずしも判然としない。即ち、所定の土地の容積率や建ぺい率に合致する間取りであっても、所定の土地に隣接する道路の向きによっては、玄関を道路に面した向きに設けることができなかったりする場合がある。また、間取りには予め設定されている東西南北の向きがあり、この予め設定されている東西南北の向きに応じて、当該間取りの建物が土地上に建築可能でなければ意味がない。さらに、所定の土地に対し、いちいち所定の間取りが対応するかどうかを判別するのでは手間がかかる。
【０００８】
そこで、本発明は、間取りに設定されている東西南北の向きや道路が面すべき方向を勘案して、当該間取りの建物が現実的に建築可能な土地を検索したり、あるいは土地から現実的に建築可能な間取りを検索したりすることを可能とする装置を提供することを目的とする。
【課題を解決するための手段】
【０００９】
上記目的を達成するため、本発明の一の観点に係る不動産情報検索装置は、所定の間取りの建物が建築可能な土地を提案する装置であって、利用者が利用する利用者端末とネットワークを介して通信可能に構成され、所定の土地上に建物を建築する際の土地に固有な条件に係る土地側条件と、当該土地の形状に係る土地形状と、当該土地の東西南北の方角に係る土地方角とを含む土地情報を記憶した土地情報記憶手段と、所定の間取りの建物を建築する際の間取りに固有な条件に係る間取り側条件と、当該間取りの形状に係る間取り形状と、当該間取りに設定されている東西南北の方角に係る間取り方角とを含む間取り情報を記憶した間取り情報記憶手段と、上記利用者端末から、間取りの指定を受信する指定情報受信手段と、利用者による間取りの指定に基づき、上記間取り情報記憶手段を参照して、指定された間取りの間取り情報を抽出する抽出処理手段と、抽出した間取り情報に基づき、上記土地情報記憶手段を参照して、上記指定された間取りの建物が建築可能な土地を検索する検索処理手段と、上記利用者端末に対し、上記検索の結果に基づき、上記指定された間取りの建物が建築可能な土地の情報を送信する土地情報送信手段と、を有し、上記検索手段が、上記土地情報記憶手段に記憶されている土地について、上記指定された間取りの間取り側条件に合致する土地側条件を備えているか否かを判断する第一の機能部と、上記間取りの間取り方角によって、上記指定された間取りの間取り形状が収まる土地形状であるか否かを判断する第二の機能部と、によって構成されていることを特徴とする。
【００１０】
また、上記土地情報にはさらに、上記土地が面する道路の向きに係る接道方向が含まれ、上記間取り情報にはさらに、上記間取りが道路に面すべき向きに係る設定方向が含まれ、上記検索手段はさらに、上記間取りが道路に面すべき向きによって接道し、上記指定された間取りの間取り形状が収まる土地形状であるか否かを判断する第三の機能部、を備えるものとしてもよい。
【００１１】
また、上記間取り情報にはさらに、上記間取りに設定されている東西南北の向きについて、許容可能な角度に係る情報が含まれ、上記第二の機能部は、上記間取りに設定されている東西南北の向きについて許容可能な角度の範囲で、上記指定された間取りの間取り形状が収まる土地形状であるか否かを判断するものとしてもよい。
【００１２】
また、上記土地情報にはさらに、上記土地が面する道路の向きについて、許容可能な角度に係る情報が含まれ、上記第三の機能部は、上記間取りが道路に面すべき向きについて許容可能な角度の範囲で、上記指定された間取りの間取り形状が収まる土地形状であるか否かを判断するものとしてもよい。
【００１３】
また、上記利用者端末に対して検索結果として提案された土地のうち、上記利用者によって指定された土地上に上記指定された間取りを重ねたイメージを生成する生成処理手段、をさらに有するものとしてもよい。
【００１４】
また、上記所定の土地周辺の地図情報を記憶した地図情報記憶手段、をさらに有し、上記生成処理手段がさらに、上記地図情報記憶手段を参照して、上記指定された土地が面する道路を含む近隣の地図情報が合わさったイメージを生成するものとしてもよい。
【００１５】
また、上記生成処理手段がさらに、上記利用者によって指定された土地上に、上記指定された間取りが道路に面すべき向きを向くと共に、上記間取りに設定されている東西南北の向きに向いた状態で、上記間取り形状が上記土地形状に収まったイメージを生成するものとしてもよい。
【００１６】
また、上記生成処理手段がさらに、上記利用者の操作に基づいて、上記指定された土地上に重ねられた上記間取りが回転可能なイメージを生成するものとしてもよい。
【００１７】
また、本発明の別の観点に係る不動産情報検索方法は、所定の間取りの建物が建築可能な土地を提案する方法であって、利用者が利用する利用者端末とネットワークを介して通信可能に構成され、所定の土地上に建物を建築する際の土地に固有な条件に係る土地側条件と、当該土地の形状に係る土地形状と、当該土地の東西南北の方角に係る土地方角とを含む土地情報を記憶した土地情報記憶手段と、所定の間取りの建物を建築する際の間取りに固有な条件に係る間取り側条件と、当該間取りの形状に係る間取り形状と、当該間取りに設定されている東西南北の方角に係る間取り方角とを含む間取り情報を記憶した間取り情報記憶手段と、を有するコンピュータにより、上記利用者端末から、間取りの指定を受信する受信処理と、利用者による間取りの指定に基づき、上記間取り情報記憶手段を参照して、指定された間取りの間取り情報を抽出する抽出処理と、抽出した間取り情報に基づき、上記土地情報記憶手段を参照して、上記指定された間取りの建物が建築可能な土地を検索する処理と、上記利用者端末に対し、上記検索の結果に基づき、上記指定された間取りの建物が建築可能な土地の情報を送信する送信処理と、を実行し、上記検索処理が、上記土地情報記憶手段に記憶されている土地について、上記指定された間取りの間取り側条件に合致する土地側条件を備えているか否かを判断する処理と、上記間取りの間取り方角によって、上記指定された間取りの間取り形状が収まる土地形状であるか否かを判断する処理と、によって構成されていることを特徴とする。
【００１８】
また、本発明のさらに別の観点に係るコンピュータプログラムは、所定の間取りの建物が建築可能な土地を提案するためのコンピュータプログラムであって、利用者が利用する利用者端末とネットワークを介して通信可能に構成され、所定の土地上に建物を建築する際の土地に固有な条件に係る土地側条件と、当該土地の形状に係る土地形状と、当該土地の東西南北の方角に係る土地方角とを含む土地情報を記憶した土地情報記憶手段と、所定の間取りの建物を建築する際の間取りに固有な条件に係る間取り側条件と、当該間取りの形状に係る間取り形状と、当該間取りに設定されている東西南北の方角に係る間取り方角とを含む間取り情報を記憶した間取り情報記憶手段と、を有するコンピュータに対し、上記利用者端末から、間取りの指定を受信する受信処理と、利用者による間取りの指定に基づき、上記間取り情報記憶手段を参照して、指定された間取りの間取り情報を抽出する抽出処理と、抽出した間取り情報に基づき、上記土地情報記憶手段を参照して、上記指定された間取りの建物が建築可能な土地を検索する処理と、上記利用者端末に対し、上記検索の結果に基づき、上記指定された間取りの建物が建築可能な土地の情報を送信する送信処理と、を実行させ、上記検索処理が、上記土地情報記憶手段に記憶されている土地について、上記指定された間取りの間取り側条件に合致する土地側条件を備えているか否かを判断する処理と、上記間取りの間取り方角によって、上記指定された間取りの間取り形状が収まる土地形状であるか否かを判断する処理と、によって構成されている。
【発明の効果】
【００１９】
本発明によれば、間取りに設定されている東西南北の向きや道路が面すべき方向を勘案して、当該間取りの建物が現実的に建築可能な土地を検索し、その検索結果としての土地情報を一括して提案することができる。
【図面の簡単な説明】
【００２０】
【図１】本発明の実施形態に係る不動産情報検索装置が備える機能を示した機能ブロック図である。
【図２】本実施形態に係る不動産情報検索装置において、土地情報記憶部に記憶されるデータの一例を示した図である。
【図３】本実施形態に係る不動産情報検索装置において、間取り情報記憶部に記憶されるデータの一例を示した図である。
【図４】本実施形態に係る不動産情報検索装置において、間取り方角及び土地方角の概念を説明する模式図である。
【図５】本実施形態に係る不動産情報検索装置において、道路の設定方向及び接道方向の概念を説明する模式図である。
【図６】本実施形態に係る不動産情報検索装置において、間取り形状と土地形状の一致を判断する処理の概念を模式的に示した模式図である。
【図７】本実施形態に係る不動産情報検索装置において、間取り形状と土地形状の一致を判断する処理の概念を模式的に示した模式図である。
【図８】本実施形態に係る不動産情報検索装置において、間取り形状と土地形状の一致を判断する処理の概念を模式的に示した模式図である。
【図９】本実施形態に係る不動産情報検索装置において、間取り形状と土地形状の一致を判断する処理の概念を模式的に示した模式図である。
【図１０】本実施形態に係る不動産情報検索装置による処理の全体の流れを示した処理フロー図である。
【図１１】本実施形態に係る不動産情報検索装置による処理のうち、検索処理の流れを示した処理フロー図である。
【図１２】本実施形態に係る不動産情報検索装置による処理に従い、利用者端末上で遷移する画面の例を示した図である。
【図１３】本実施形態に係る不動産情報検索装置による処理に従い、利用者端末上で遷移する画面の例を示した図である。
【図１４】本実施形態に係る不動産情報検索装置による処理に従い、利用者端末上で遷移する画面の例を示した図である。
【図１５】本実施形態に係る不動産情報検索装置による処理に従い、利用者端末上で遷移する画面の例を示した図である。
【図１６】本実施形態に係る不動産情報検索装置による処理に従い、利用者端末上で遷移する画面の例を示した図である。
【図１７】本実施形態に係る不動産情報検索装置による処理に従い、利用者端末上で遷移する画面の例を示した図である。
【図１８】本発明の別の実施形態に係る不動産情報検索装置による処理の全体の流れを示した処理フロー図である。
【図１９】本実施形態に係る不動産情報検索装置による処理のうち、検索処理の流れを示した処理フロー図である。
【図２０】本実施形態に係る不動産情報検索装置による処理に従い、利用者端末上で遷移する画面の例を示した図である。
【図２１】本実施形態に係る不動産情報検索装置による処理に従い、利用者端末上で遷移する画面の例を示した図である。
【図２２】本実施形態に係る不動産情報検索装置による処理に従い、利用者端末上で遷移する画面の例を示した図である。
【図２３】本実施形態に係る不動産情報検索装置による処理に従い、利用者端末上で遷移する画面の例を示した図である。
【図２４】本実施形態に係る不動産情報検索装置による処理に従い、利用者端末上で遷移する画面の例を示した図である。
【図２５】本実施形態に係る不動産情報検索装置による処理に従い、利用者端末上で遷移する画面の例を示した図である。
【発明を実施するための形態】
【００２１】
以下、本発明の実施形態に係る不動産情報検索装置について、図を参照して説明する。
図１に示されるように、本実施形態に係る不動産情報検索装置１は、インターネット等のネットワークＮＷを介して、利用者端末２と通信可能に構成されている。
【００２２】
不動産情報検索装置１は、利用者に対して建物、特に注文住宅を販売等するハウスメーカーや、土地を販売する不動産事業者等が管理、運営することが想定されている。そして、当該不動産事業者等はこの不動産情報検索装置１により、データベースに登録されている土地や建物の間取りの情報を参照して、利用者が望む間取りの建物を建築可能な土地や所定の土地に建築可能な建物の間取りを提案する。
【実施例１】
【００２３】
第一の実施形態に係る不動産情報検索装置１は、利用者が望む間取りの建物を建築可能な土地を検索し、その検索結果によって利用者に土地を提案する。
不動産情報検索装置１は、いわゆるサーバコンピュータ等によって実現され、CPU（Central Processing Unit）、RAM（Random Access Memory）、ROM（Read Only Memory）、ハードディスクドライブといったハードウェア資源、CPUが実行するコンピュータプログラム等のソフトウェア資源により、土地情報記憶部１Ａ、間取り情報記憶部１Ｂ、地図情報記憶部１Ｃ、抽出処理部１１、検索処理部１２、生成処理部１３、及び通信処理部１４からなる機能ブロックを構成する。
【００２４】
土地情報記憶部１Ａは、利用者に対して販売等される土地に関する土地情報を複数、記憶した記憶部である。
この土地情報記憶部１Ａには例えば、図２に示されるように、土地の区画を個々に識別可能な土地ＩＤごとに、少なくとも基本情報、土地側条件、土地形状、及び接道方向に係る情報が相互に関連付けて記憶されている。
【００２５】
基本情報には、土地の住所や価格等の情報が含まれる。
土地側条件は、土地上に建物を建築する際に必要となる情報であって、例えば敷地面積、建ぺい率、容積率等によって構成される。この土地側条件には、土地上に建物を建築するにあたって物理的あるいは法令等に基づく制限あるいは規制となるような事項が含まれている。
また、土地形状は、土地の形状に係る情報であり、これにより、どのような間取り形状が収まるかを把握することができる。
また、接道方向は、土地が面する道路の向きに関する情報である。
【００２６】
間取り情報記憶部１Ｂは、建物の間取りに関する間取り情報を複数、記憶した記憶部である。
この間取り情報記憶部１Ｂには例えば、図３に示されるように、建物の間取りを個々に識別可能な間取りＩＤごとに、間取りの基本情報、間取り側条件、間取り形状、間取り方角、間取り方角許容度、設定方向、及び設定方向許容度に係る情報が相互に関連付けて記憶されている。
【００２７】
基本情報には、所定の間取りの建物を供給する供給メーカーや、当該間取りの建物を建築する場合の価格といった情報が含まれる。
【００２８】
間取り側条件は、建築面積や延床面積等、間取りに沿って建築される建物の仕様等に関する情報から構成される。この間取り側条件と土地の土地側条件と照らし合わせることで、所定の土地について、当該土地上に物理的あるいは法令等に基づく制限をクリアできる間取りであるか否かを把握することができる。
【００２９】
間取り方角は、間取りに設定されている東西南北の方角に係る情報であり、間取りの中心からの方向等によって予め設定されている。この間取り方角は実際的には、水回りの位置や居室等の窓の向き等によって決定される。
間取り方角許容度は、間取りに設定されている東西南北の向きについて、ずらすことが許容可能な角度に係る情報である。即ち、図４に示されるように、間取り方角許容度は、土地の東西南北に係る土地方角に対し、間取りごとに設定されている東西南北の間取り方角を傾けることが許容される角度（許容角度）である。
土地上に所定の間取りを建築する際、間取りに設定されている東西南北の向きは、厳密に実際の東西南北と一致する必要はなく、所定の許容角度の範囲でのずれが許容される。
【００３０】
設定方向は、間取りが道路に面すべき向きに係る情報であり、間取りの中心からの方向等によって予め設定されている。この設定方向は実際的には、玄関が設けられている位置等によって決定される。
設定方向許容度は、間取りに設定されている道路の向きについて、ずらすことが許容可能な角度に係る情報である。即ち、図５に示されるように、設定方向許容度は、土地における接道方向に対し、間取りごとに設定されている設定方向を傾けることが許容される角度（許容角度）である。
【００３１】
地図情報記憶部１Ｃは、区画されている土地や、当該所定の土地に隣接する道路といった周辺の地図に関する地図情報を記憶した記憶部である。
この地図情報を参照することにより、所定の土地がどのように区画され、東西南北等のどの向きにおいて道路と隣接しているかを把握することができる。
【００３２】
抽出処理部１１は、利用者による間取りの指定に基づき、間取り情報記憶部１Ｂを参照して、指定された間取りの間取り情報を抽出する処理を実行する。
【００３３】
検索処理部１２は、抽出処理部１１によって抽出された間取り情報に基づき、土地情報記憶部１Ａを参照して、利用者によって指定された間取りの建物が建築可能な土地を検索する処理を実行する。
この検索処理部１２は第一の機能部、第二の機能部、第三の機能部、及び第四の機能部から構成され、利用者からの検索要求に応じ、土地情報記憶部１Ａを参照して、利用者の検索要求に応じた土地を検索する。
【００３４】
具体的に、第一の機能部は、土地情報記憶部１Ａに記憶されている土地について、利用者によって指定された間取りの間取り側条件に合致する土地側条件を備えているか否かを判断する。ここでは、土地ごとに決められている建ぺい率や容積率といった情報と、間取りごとの敷地面積や建築面積といった情報とを対比し、当該建ぺい率や容積率といった制限をオーバーすることなく、指定された間取りの建物が建築可能な土地であるか否かが判断される。
【００３５】
また、第二の機能部は、土地情報記憶部１Ａに記憶されている土地について、利用者によって指定された間取りに設定されている間取り方角と土地に設定されている土地方角とを一致させた状態で、当該間取りの間取り形状が収まる土地形状であるか否かを判断する。この第二の機能部はさらに、間取り形状が収まる土地形状であるか否かを判断する際に、間取りに設定されている東西南北の向きについて許容可能な角度の範囲で収まるか否かを判断することができる。
【００３６】
この第二の機能部による処理について、図６及び図７を参照して説明する。この例ではまず、図６（ａ）あるいは図７（ａ）に示されるように、土地情報記憶部１Ａに記憶されている土地の土地形状に対し、利用者によって指定された間取りの間取り形状を、予め間取りに設定されている間取り方角と土地の土地方角とを合わせて当てはめる。このとき、土地の土地方角と間取りの間取り方角とを一致させた状態で間取り形状が土地形状に収まった場合には、当該土地は、第二の機能部による処理における検索条件を満たしたものと扱われる。
【００３７】
一方で、土地の土地方角と間取りの間取り方角とを一致させた状態で間取り形状が土地形状に収まらなかった場合にはさらに、図６（ｂ）あるいは図７（ｂ）に示されるように、間取り方角を許容角度の範囲で傾けた状態で、間取り形状が土地形状に収まるか否かを判断する。これにより、図７（ｂ）のように、間取り形状が土地形状に収まった場合には、当該土地は、第二の機能部による処理における検索条件を満たしたものと扱われる。他方、図６（ｂ）のように、間取り形状が土地形状に収まらなかった場合には、当該土地は検索条件を満たさないものとして扱われる。
【００３８】
また、第三の機能部は、土地情報記憶部１Ａに記憶されている土地について、利用者によって指定された間取りに設定された道路の設定方向と土地の接道方向が一致した状態で、当該間取りの間取り形状が収まる土地形状であるか否かを判断する。この第三の機能部はさらに、当該間取りの間取り形状が収まる土地形状であるか否かを判断する際に、間取りが道路に面すべき向きについて許容可能な角度の範囲で収まるか否かを判断することができる。
【００３９】
この第三の機能部による処理について、図８及び図９を参照して説明する。この例ではまず、図８（ａ）あるいは図９（ａ）に示されるように、土地情報記憶部１Ａに記憶されている土地の土地形状に対し、利用者によって指定された間取りの間取り形状を、予め間取りに設定されている道路の設定方向と土地の接道方向とを合わせて当てはめる。このとき、土地の接道方向と間取りの設定方向とを一致させた状態で間取り形状が土地形状に収まった場合には、当該土地は、第三の機能部による処理における検索条件を満たしたものと扱われる。
【００４０】
一方で、土地の接道方向と間取りの設定方向とを一致させた状態で間取り形状が土地形状に収まらなかった場合にはさらに、図８（ｂ）あるいは図９（ｂ）に示されるように、間取りの設定方向を許容角度の範囲で傾けた状態で、間取り形状が土地形状に収まるか否かを判断する。これにより、図９（ｂ）のように、間取り形状が土地形状に収まった場合には、当該土地は、第三の機能部による処理における検索条件を満たしたものと扱われる。他方、図８（ｂ）のように、これでも間取り形状が土地形状に収まらなかった場合には、当該土地は検索条件を満たさないものとして扱われる。
【００４１】
さらに、第四の機能部は、土地情報記憶部１Ａに記憶されている土地について、利用者が検索条件として任意に入力した価格等の情報に基づき、合致する基本情報を備えているか否かを判断する。
【００４２】
土地情報記憶部１Ａに記憶されている土地について、上述した第一乃至第四の機能部から構成される検索処理が適用されることにより、利用者によって指定された間取りの建物が建築可能であって、利用者の希望に沿った土地が絞り込まれる。
【００４３】
生成処理部１３は、利用者端末２に対して検索結果として提案された土地のうち、利用者によって選択された土地に、指定された間取りを重ねたイメージを生成する処理を実行する。
この処理では、地図情報記憶部１Ｃが参照され、検索結果の中から利用者が選択した土地について、当該土地が面する道路を含む近隣の地図情報が抽出され、さらに当該地図中の土地上に指定された間取りが重ねられる。利用者端末２上では利用者による操作に基づき、この指定された間取りが土地上で回転可能に構成される。このような利用者端末２上における画面の出力は、具体的にはAjax（エイジャックス）等によって実現される。
【００４４】
通信処理部１４は、利用者端末２との間でインターネット等のネットワークＮＷを介し、データの送受信を実行する処理部である。
この通信処理部１４により、利用者端末２との間で、間取りの指定に係る情報を受信したり、指定された間取りの建物が建築可能な土地に係る情報を送信したりすることができる。
【００４５】
利用者端末２は、不動産情報検索装置１によって提供されるシステムを利用し、所望の不動産情報を検索する利用者が利用する端末である。この利用者端末２は例えば、所謂パーソナルコンピュータ、データの送受信が可能なタブレット型あるいは携帯型端末等によって構成される。
また、この利用者端末２は、データの送受信処理を実行するウェブブラウザ等の通信処理部や、データの入出力を行ためのディスプレイや、タッチパネルあるいはキーボードといった入出力処理部を有している。
【００４６】
次に、本実施形態に係る不動産情報検索装置１によって実行される一連の処理について、図１０及び図１１を参照して説明する。
まず、所定のウェブサイト等を介し、利用者端末２から間取りの指定と共に、当該間取りの建物を建築可能な土地の提案依頼を受信する（Ｓ１０１）。
【００４７】
この際に利用者端末２上で展開される画面の一例を図１２に示す。図１２の画面例では、間取り情報記憶部１Ｂに記憶されている間取り情報が参照され、指定可能な間取り情報が列挙されている。
なお、指定可能な間取りは所定の条件入力フォーム等によって、利用者が任意に絞り込むことができるようになっていてもよい。
【００４８】
利用者が所望の間取りを指定すると、指定された間取りの建物が建築可能な土地の検索処理が実行される（Ｓ１０２）。
なお、本例においては、土地の提案依頼は、間取りの指定によって自動的に受け付けられるものとして構成されているが、間取りの指定とは別に設けられた所定のボタン等を押下することによって受け付けられるものとすることもできる。
また、図示を省略しているが、土地の基本情報によって検索結果を絞り込めるように、所定の検索条件入力フォームが設けられており、当該入力フォームに検索条件としての基本情報が入力できるようになっている。
【００４９】
ここで、利用者によって指定された間取りの建物が建築可能な土地が検索される処理の流れの詳細を図１１に示す。
まず、抽出処理部１１により、利用者によって指定された間取りの間取り情報が間取り情報記憶部１Ｂから抽出される（Ｓ２０１）。
【００５０】
間取り情報が抽出されると、検索処理部１２は、第四の機能部によって、利用者が希望する基本情報を備えた土地を絞り込む（Ｓ２０２）。ここでは、土地の所在地や値段など、主に利用者都合の条件に合致する土地が絞り込まれる。
さらに、第一の機能部によって、間取りの間取り側条件に合致する土地側条件を備えた土地が絞り込まれる（Ｓ２０３）。ここでは、土地ごとに決められている建ぺい率や容積率といった情報と、各間取りの敷地面積や建築面積といった情報とを対比し、当該建ぺい率や容積率といった制限をオーバーすることなく、指定された間取りの建物が建築可能な土地が絞り込まれる。
【００５１】
それから第二の機能部により、上記絞り込まれた土地について、利用者によって指定された間取りに設定されている間取り方角と土地の土地方角とを一致させた状態において、当該間取りの間取り形状が収まる土地形状であるか否かが判断される（Ｓ２０４）。
さらに、土地の土地方角と間取りの間取り方角とを一致させた状態で間取り形状が土地形状に収まらなかった場合には、間取りに設定されている東西南北の向きについて許容可能な角度の範囲で、間取り形状が土地形状に収まるか否かが判断される（Ｓ２０５）。
【００５２】
この結果、間取りに設定された許容可能な角度の範囲によっても、間取り形状が土地形状に収まらなかった場合には、当該土地は検索条件を満たさないものとして扱われる（Ｓ２０６）。
一方、Ｓ２０５の処理において、土地の土地方角と間取りの間取り方角とを一致させた状態で間取り形状が土地形状に収まった場合、及び、Ｓ２０６の処理において、間取り方角を許容角度の範囲で傾けた状態で、間取り形状が土地形状に収まった場合には、当該土地は、第二の機能部による処理における検索条件を満たすものと判断される。
【００５３】
それから第三の機能部により、上記絞り込まれた土地について、利用者によって指定された間取りが道路に面すべき向きによって接道しつつ、当該間取りの間取り形状が収まる土地形状であるか否かが判断される（Ｓ２０７）。
さらに、土地の接道方向と間取りの設定方向とを一致させた状態で間取り形状が土地形状に収まらなかった場合には、間取りにおける道路の設定方向を許容角度の範囲で傾けた状態で、間取り形状が土地形状に収まるか否かが判断される（Ｓ２０８）。
【００５４】
この結果、間取りに設定された許容可能な角度の範囲によっても、間取り形状が土地形状に収まらなかった場合には、当該土地は検索条件を満たさないものとして扱われる（Ｓ２０９）。
一方、Ｓ２０７の処理において、土地の接道方向と間取りの設定方向とを一致させた状態で間取り形状が土地形状に収まった場合、及びＳ２０８の処理において、設定方向を許容角度の範囲で傾けた状態で、間取り形状が土地形状に収まった場合には、当該土地は、第三の機能部による処理における検索条件を満たすものと判断される。
【００５５】
検索処理部１２による検索の結果、利用者によって指定された間取りの建物が建築可能であると共に、利用者の希望に沿った土地が絞り込まれると、当該絞り込まれた土地が一覧的に利用者端末２に対して提示される（Ｓ１０３）。
【００５６】
このときの利用者端末２上における画面の一例を図１３に示す。
この画面例では、土地の検索結果が検索結果表示欄１０２に一覧的に表示されている。また、利用者によって指定された間取りが点線で囲われ、指定されていることが把握可能になっている。さらに、指定された間取りが指定欄１０１に登録されている。
【００５７】
ここで、検索結果として一覧的に提示された複数の土地の中から、一の土地を利用者が選択すると（Ｓ１０４）、図１４に示されるように、土地情報記憶部１Ａ及び地図情報記憶部１Ｃに記憶されている情報に基づき、指定された土地の周辺地図が表示される。この画面例は、利用者によって検索結果表示欄１０２中の筆頭の土地が指定された状態を示しており（図１４では、区画番号「１７６１−１」が指定された状態を示す）、指定された土地は地図上、点線状の太線で囲われている。また、検索結果表示欄１０２では、指定された土地が太字化され、指定されていることが把握可能になっている。
【００５８】
ここで、指定欄１０１には、利用者が指定した間取り１０１ａと共に、模式的な車１０１ｂのオブジェクトが合わせて表示される。なお、車１０１ｂの絵柄は本例では２台分表示されているが、本発明の実施において特に台数は限定されない。
利用者端末２上において、指定欄１０１中に表示された間取り１０１ａと車１０１ｂは選択可能に構成されている。そして、利用者によるドラッグアンドドロップの操作に応じて間取り１０１ａや車１０１ｂが、利用者によって選択されて地図表示されている土地上に配置させられると、生成処理部１３が当該選択された土地上に間取り１０１ａや車１０１ｂを配置したイメージを生成する（Ｓ１０５）。
【００５９】
図１５は、指定欄１０１中の間取り１０１ａが選択された土地上に配置された状態を示している。ここで、間取り１０１ａは利用者端末２を介した利用者による操作に従って、当該選択された土地上で回転可能に構成されている。
【００６０】
図１６は、利用者の操作によって土地上で間取りが回転させられ、間取りに予め設定されている許容角度の範囲において、間取り形状が土地形状に収まった状態を示している。
なお、不動産情報検索装置１の機能により、利用者によって土地が選択されたときに、間取り形状を適宜、自動的に回転させて、利用者が指定した間取りの間取り形状が選択された土地形状に収まった状態で表示するようにしてもよい。
【００６１】
図１７は、利用者端末２を介した利用者による操作に従って、選択された土地上に間取り１０１ａと車１０１ｂが配置された状態を示している。
これにより、利用者は所望の間取りについて、検索結果として提案された土地上でどのように収まるかを把握することができると共に、車をどのように配置することができるかのシミュレーションを行うことができる。
【００６２】
また、このウェブページ上には、利用者による操作に応じて土地上に建物の間取りや車が配置されたイメージをＰＤＦ等のフォーマットでダウンロードするボタンが設けられており、利用者はこれを適宜、ダウンロードし、いつでも参考にすることができる。
【００６３】
以上の本実施形態に係る不動産情報検索装置１によれば、利用者が指定した間取りについて、間取りに設定されている東西南北の向きや、間取りが道路に面すべき向きといった要素を勘案して、当該利用者が指定した間取りの建物が現実的に建築可能な土地だけが一括して提案される。また、検索結果として示された土地の中から利用者が選択した土地上で間取りを操作することができるため、建物の配置に関する利用者の細かな希望に沿って、建物を建築した際のイメージをより具体的に把握することができる。
【００６４】
なお、本実施形態においては、土地の検索結果を一覧的に提示した後、利用者による指定や操作に基づいて、利用者が所望する間取りを土地上に配置するものとしたが、これに限らず、検索結果として出力された土地の中から任意の土地を自動的に選択すると共に、当該選択した土地上に、土地と間取りの形状に合わせて間取りを自動配置した上、これを検索結果として利用者に提示するようにすることもできる。
【００６５】
また、本実施形態においては、間取りと土地は二次元的なイメージとして利用者端末２に提供しているが、これにかかわらず、三次元的なイメージを生成して利用者に提供するようにしてもよい。このような三次元的なイメージの生成は例えば、土地が未造成の傾斜地である場合に、造成後の土地のイメージを生成すると共に、当該造成後のイメージの土地上に間取りを配置する場合に有用である。また、周辺環境、例えば隣接家屋の利用状況イメージを三次元的に生成することにより、建物の建築後のイメージをよりリアルなものとすることができる。
【００６６】
また、第四の機能部において、利用者が検索条件として指定できる土地の基本情報ついては、最寄駅からの距離やスーパーマーケット等が近所にあるかないかといった周辺環境、土地の価格など、各種の項目が設定できるようになっていてもよい。また、検索条件としての価格については、土地の価格のみならず、利用者によって指定された間取りの建物の建築費用と土地の価格を合わせた合計価格であってもよいし、利用者に対して設定され得るローンを加味した価格などであってもよい。合計価格の場合は、間取りごとに設定された建築費用を予め記憶部に登録しておき、利用者の検索に応じて、当該建築費用を抽出すると共に、土地の価格と合算し、利用者が指定する価格以内の合計価格に当てはまる土地を検索するとよい。
さらに、検索結果では、検索条件の一致率の高いものから順に一覧的に表示したり、一致率の低いもの検索条件の一部が一致しないものは提案という形で併せて表示したりしてもよい。
【実施例２】
【００６７】
本発明の第二の実施形態では、利用者が望む土地に建築可能な間取りを検索し、その検索結果によって間取りを提案する。
この第二の実施形態は、第一の実施形態と同様の機能部を有する不動産情報検索装置１によって実現される。即ち、本例においても、不動産情報検索装置１は、土地情報記憶部１Ａ、間取り情報記憶部１Ｂ、地図情報記憶部１Ｃ、抽出処理部１１、検索処理部１２、生成処理部１３、及び通信処理部１４からなる機能ブロックを構成する。なお、本例において、各機能部によって実行される機能のうち、第一の実施形態において説明した機能の説明は省略する。また、利用者端末２の構成及び機能についても第一の実施形態と同様であるため、説明は省略する。
【００６８】
抽出処理部１１は本例において、利用者による土地の指定に基づき、土地情報記憶部１Ａを参照して、指定された土地の土地情報を抽出する処理を実行する。
【００６９】
検索処理部１２は、抽出処理部１１によって抽出された土地情報に基づき、間取り情報記憶部１Ｂを参照して、利用者によって指定された土地に建築可能な建物の間取りを検索する処理を実行する。
この検索処理部１２は第一の機能部、第二の機能部、第三の機能部、及び第四の機能部から構成され、利用者からの検索要求に応じ、間取り情報記憶部１Ｂを参照して、利用者の検索要求に応じた間取りを検索する。
【００７０】
具体的に、第一の機能部は、間取り情報記憶部１Ｂに記憶されている間取りについて、利用者によって指定された土地の土地側条件に合致する間取り側条件を備えているか否かを判断する。
【００７１】
また、第二の機能部は、間取り情報記憶部１Ｂに記憶されている間取りについて、利用者によって指定された土地に設定されている土地方角と間取りに設定されている間取り方角とを一致させた状態で、当該間取りの間取り形状が当該土地の土地形状に収まるか否かを判断する。この第二の機能部はさらに、間取り形状が土地形状に収まるか否かを判断する際に、間取りに設定されている東西南北の向きについて許容可能な角度の範囲で収まるか否かを判断することができる。
【００７２】
また、第三の機能部は、間取り情報記憶部１Ｂに記憶されている間取りについて、利用者によって指定された土地の接道方向と間取りに設定されている道路の設定方向とを一致させた状態で、当該間取りの間取り形状が当該土地の土地形状に収まるか否かを判断する。この第三の機能部はさらに、当該間取りの間取り形状が土地形状に収まるか否かを判断する際に、間取りが道路に面すべき向きについて許容可能な角度の範囲で収まるか否かを判断することができる。
【００７３】
さらに、第四の機能部は、間取り情報記憶部１Ｂに記憶されている間取りについて、利用者が検索条件として任意に入力した価格等の情報に基づき、合致する基本情報を備えているか否かを判断する。
【００７４】
間取り情報記憶部１Ｂに記憶されている間取りについて、上述した第一乃至第四の機能部から構成される検索処理が適用されることにより、利用者によって指定された土地に建築可能な建物の間取りであって、利用者の希望に沿った間取りが絞り込まれる。
【００７５】
生成処理部１３は、利用者端末２に対して検索結果として提案された間取りのうち、利用者によって選択された間取りを、指定された土地に重ねたイメージを生成する処理を実行する。
この処理では、地図情報記憶部１Ｃが参照され、検索結果の中から利用者が指定した土地について、当該土地が面する道路を含む近隣の地図情報が抽出され、さらに当該地図中の土地上に選択された間取りが重ねられる。利用者端末２上では利用者による操作に基づき、この選択された間取りが土地上で回転可能に構成される。このような利用者端末２上における画面の出力は、具体的にはAjax（エイジャックス）等によって実現される。
【００７６】
次に、本実施形態に係る不動産情報検索装置１によって実行される一連の処理について、図１８及び図１９を参照して説明する。
まず、所定のウェブサイト等を介し、利用者端末２から土地の指定と共に、当該土地に建築可能な建物の間取りの提案依頼を受信する（Ｓ３０１）。
【００７７】
この際に利用者端末２上で展開される画面の一例を図２０に示す。図２０の画面例では、土地情報記憶部１Ａ及び地図情報記憶部１Ｃに記憶されている土地情報及び地図情報に基づき、利用者が指定した土地とその周辺の地図が表示されている。
【００７８】
利用者が土地を指定すると、指定された土地に建築可能な建物の間取りの検索処理が実行される（Ｓ３０２）。
なお、本例においては、間取りの提案依頼は、土地の指定によって自動的に受け付けられるものとして構成されているが、土地の指定とは別に設けられた所定のボタン等を押下することによって受け付けられるものとすることもできる。また、土地の住所による入力など、各種の態様により土地を指定することもできる。
また、図示を省略しているが、間取りの基本情報によって検索結果を絞り込めるように、所定の検索条件入力フォームが設けられており、当該入力フォームに検索条件としての基本情報が入力できるようになっている。
【００７９】
ここで、利用者によって指定された土地に建築可能な建物の間取りが検索される処理の流れの詳細を図１９に示す。
まず、抽出処理部１１により、利用者によって指定された土地の土地情報が土地情報記憶部１Ａから抽出される（Ｓ４０１）。
【００８０】
土地情報が抽出されると、検索処理部１２は、第四の機能部によって、利用者が希望する基本情報を備えた間取りを絞り込む（Ｓ４０２）。ここでは、間取りの供給メーカーや値段など、主に利用者都合の条件に合致する間取りが絞り込まれる。
さらに、第一の機能部によって、土地の土地側条件に合致する間取り側条件を備えた間取りが絞り込まれる（Ｓ４０３）。ここでは、土地ごとに決められている建ぺい率や容積率といった情報と、間取りごとの敷地面積や建築面積といった情報とを対比し、当該建ぺい率や容積率といった制限をオーバーすることなく、指定された土地に建築可能な建物の間取りが絞り込まれる。
【００８１】
それから第二の機能部により、上記絞り込まれた間取りについて、利用者によって指定された土地の土地方角と間取りの間取り方角とを一致させた状態において、当該間取りの間取り形状が収まる土地形状であるか否かが判断される（Ｓ４０４）。
さらに、土地の土地方角と間取りの間取り方角とを一致させた状態で間取り形状が土地形状に収まらなかった場合には、間取りに設定されている東西南北の向きについて許容可能な角度の範囲で、間取り形状が土地形状に収まるか否かが判断される（Ｓ４０５）。
【００８２】
この結果、間取りに設定された許容可能な角度の範囲によっても、間取り形状が土地形状に収まらなかった場合には、当該間取りは検索条件を満たさないものとして扱われる（Ｓ４０６）。
一方、Ｓ４０５の処理において、土地の土地方角と間取りの間取り方角とを一致させた状態で間取り形状が土地形状に収まった場合、及び、Ｓ４０６の処理において、間取り方角を許容角度の範囲で傾けた状態で、間取り形状が土地形状に収まった場合には、当該間取りは、第二の機能部による処理における検索条件を満たすものと判断される。
【００８３】
それから第三の機能部により、上記絞り込まれた間取りについて、利用者によって指定された土地の接道方向と間取りの道路の設定方向とが一致した状態において、当該間取りの間取り形状が収まる土地形状であるか否かが判断される（Ｓ４０７）。
さらに、土地の接道方向と間取りの設定方向とを一致させた状態で間取り形状が土地形状に収まらなかった場合には、間取りにおける道路の設定方向を許容角度の範囲で傾けた状態で、間取り形状が土地形状に収まるか否かが判断される（Ｓ４０８）。
【００８４】
この結果、間取りに設定された許容可能な角度の範囲によっても、間取り形状が土地形状に収まらなかった場合には、当該間取りは検索条件を満たさないものとして扱われる（Ｓ４０９）。
一方、Ｓ４０７の処理において、土地の接道方向と間取りの設定方向とを一致させた状態で間取り形状が土地形状に収まった場合、及びＳ４０８の処理において、設定方向を許容角度の範囲で傾けた状態で、間取り形状が土地形状に収まった場合には、当該間取りは、第三の機能部による処理における検索条件を満たすものと判断される。
【００８５】
検索処理部１２による検索の結果、利用者によって指定された土地に建築可能な建物の間取りであると共に、利用者の希望に沿った間取りが絞り込まれると、当該絞り込まれた間取りが一覧的に利用者端末２に対して提示される（Ｓ３０３）。
【００８６】
このときの利用者端末２上における画面の一例を図２１に示す。
この画面例では、間取りの検索結果が一覧的に表示されている。また、利用者によって指定された土地が太い点線で囲われ（図２１では区画番号「１７６−１」が指定された状態を示す）、指定されていることが把握可能になっている。
【００８７】
ここで、検索結果として一覧的に提示された複数の間取りの中から、一の間取りを利用者が選択すると（Ｓ３０４）、図２２に示されるように、指定欄１０１に、利用者が選択した間取り１０１ａと共に、模式的な車１０１ｂのオブジェクトが合わせて表示される。
利用者端末２上において、指定欄１０１中に表示された間取り１０１ａと車１０１ｂは選択可能に構成されている。利用者によるドラッグアンドドロップの操作に応じて間取り１０１ａや車１０１ｂが土地上に配置させられると、生成処理部１３が当該土地上に間取り１０１ａや車１０１ｂを配置したイメージを生成する（Ｓ３０５）。
【００８８】
図２３は、指定欄１０１中の間取り１０１ａが、指定された土地上に配置された状態を示している。ここで、間取り１０１ａは利用者端末２を介した利用者による操作に従って、当該指定された土地上で回転可能に構成されている。
【００８９】
図２４は、利用者の操作によって土地上で間取りが回転させられ、間取りに予め設定されている許容角度の範囲において、間取り形状が土地形状に収まった状態を示している。
なお、不動産情報検索装置１の機能により、利用者によって間取りが選択されたときに、間取り形状を適宜、自動的に回転させて、利用者が選択した間取りの間取り形状が指定された土地形状に収まった状態で表示するようにしてもよい。
【００９０】
図２５は、利用者端末２を介した利用者による操作に従って、土地上に選択された間取り１０１ａと車１０１ｂが配置された状態を示している。
これにより、利用者は所望の土地について、検索結果として提案された間取りがどのように収まるかを把握することができると共に、車をどのように配置することができるかのシミュレーションを行うことができる。
【００９１】
なお、第一の実施形態と同様、このウェブページ上には、利用者による操作に応じて土地上に建物の間取りや車が配置されたイメージをＰＤＦ等のフォーマットでダウンロードするボタンが設けられており、利用者はこれを適宜、ダウンロードし、いつでも参考にすることができる。
【００９２】
以上の本実施形態に係る不動産情報検索装置１によれば、利用者が指定した土地について、間取りに設定されている東西南北の向きや、間取りが道路に面すべき向きといった要素を勘案して、当該利用者が指定した土地上に現実的に建築可能な建物の間取りだけが一括して提案される。また、検索結果として示された間取りの中から利用者が選択した間取りを土地上で操作することができるため、建物の配置に関する利用者の細かな希望に沿って、建物を建築した際のイメージをより具体的に把握することができる。
【００９３】
なお、本実施形態においても、検索結果として出力された間取りの中の任意の間取りを土地上に自動配置し、これを検索結果として利用者に提示するようにすることもできる。
また、間取りと土地について三次元的なイメージを生成して利用者に提供するようにしてもよいし、検索結果では、検索条件の一致率の高いものから順に一覧的に表示したり、一致率の低いもの検索条件の一部が一致しないものは提案という形で併せて表示したりしてもよい。
【００９４】
また、本発明は、土地上に建築可能な建物を把握したり、あるいは所定の建物を建築可能な土地を把握したりするものであることから、本発明における建物の間取りは、室内の部屋割り等を定めていない外観デザインあるいは建築デザインであってもよい。そのような外観デザインあるいは建築デザインに係る間取りであっても、窓や玄関、日照を受ける方位などにより、当該間取りに好適な東西南北の方角や道路に面すべき向きは必然的に決定されるし、建物の平面形状も把握可能であるから、本発明の実施形態に係る不動産情報検索装置１による処理の対象となり得る。
【符号の説明】
【００９５】
１      不動産情報検索装置
１Ａ    土地情報記憶部
１Ｂ    間取り情報記憶部
１Ｃ    地図情報記憶部
１１    抽出処理部
１２    検索処理部
１３    生成処理部
１４    通信処理部
２      利用者端末
ＮＷ    ネットワーク
【図１】
2020009480.tif 000003
【図２】
2020009480.tif 000004
【図３】
2020009480.tif 000005
【図４】
2020009480.tif 000006
【図５】
2020009480.tif 000007
【図６】
2020009480.tif 000008
【図７】
2020009480.tif 000009
【図８】
2020009480.tif 000010
【図９】
2020009480.tif 000011
【図１０】
2020009480.tif 000012
【図１１】
2020009480.tif 000013
【図１２】
2020009480.tif 000014
【図１３】
2020009480.tif 000015
【図１４】
2020009480.tif 000016
【図１５】
2020009480.tif 000017
【図１６】
2020009480.tif 000018
【図１７】
2020009480.tif 000019
【図１８】
2020009480.tif 000020
【図１９】
2020009480.tif 000021
【図２０】
2020009480.tif 000022
【図２１】
2020009480.tif 000023
【図２２】
2020009480.tif 000024
【図２３】
2020009480.tif 000025
【図２４】
2020009480.tif 000026
【図２５】
2020009480.tif 000027
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
所定の土地に建築可能な外観デザイン又は建築デザインの建物を提案する装置であって、
上記所定の土地の形状に係る土地形状と、上記所定の土地の東西南北の方角に係る土地方角とを含む第一の情報を記憶した第一情報記憶手段と、
上記外観デザイン又は建築デザインの形状と、上記外観デザイン又は建築デザインに設定されている東西南北の方角に係る建物の方角とを含む第二の情報を記憶した第二情報記憶手段と、
上記第一及び第二の情報記憶手段を参照して、上記外観デザイン又は建築デザインに設定されている東西南北の向きについて、所定の角度の範囲内であれば上記所定の土地の土地形状に収まる外観デザイン又は建築デザインの建物を検索する検索処理手段と、を有する、
ことを特徴とする不動産情報検索装置。
【請求項２】
上記第一の情報にはさらに、上記土地が面する道路の向きに係る接道方向が含まれ、
上記第二の情報にはさらに、上記外観デザイン又は建築デザインの建物が道路に面すべき向きに係る設定方向が含まれ、
上記検索処理手段はさらに、上記外観デザイン又は建築デザインに設定されている東西南北の向きについて、所定の角度の範囲内であれば、道路に面すべき向きによって接道して上記所定の土地の土地形状に収まる外観デザイン又は建築デザインの建物を検索する、
請求項１記載の不動産情報検索装置。
【請求項３】
所定の外観デザイン又は建築デザインの建物が建築可能な土地を提案する装置であって、
土地の形状に係る土地形状と、当該土地の東西南北の方角に係る土地方角とを含む第一の情報を記憶した第一情報記憶手段と、
上記所定の外観デザイン又は建築デザインの形状と、上記所定の外観デザイン又は建築デザインに設定されている東西南北の方角に係る建物の方角とを含む第二の情報を記憶した第二情報記憶手段と、
上記第一及び第二の情報記憶手段を参照して、上記土地の土地方角について、所定の角度の範囲内であれば上記所定の外観デザイン又は建築デザインの建物が収まる土地形状からなる土地を検索する検索処理手段と、を有する、
ことを特徴とする不動産情報検索装置。
【請求項４】
上記第一の情報にはさらに、上記土地が面する道路の向きに係る接道方向が含まれ、
上記第二の情報にはさらに、上記外観デザイン又は建築デザインの建物が道路に面すべき向きに係る設定方向が含まれ、
上記検索処理手段はさらに、上記土地が面する道路の向きについて、所定の角度の範囲内であれば、上記所定の外観デザイン又は建築デザインの建物が道路に面すべき向きによって接道して収まる土地形状からなる土地を検索する、
請求項３記載の不動産情報検索装置。
【請求項５】
所定の土地に建築可能な外観デザイン又は建築デザインの建物を提案する方法であって、
上記所定の土地の形状に係る土地形状と、上記所定の土地の東西南北の方角に係る土地方角とを含む第一の情報を記憶した第一情報記憶手段と、
上記外観デザイン又は建築デザインの形状と、上記外観デザイン又は建築デザインに設定されている東西南北の方角に係る建物の方角とを含む第二の情報を記憶した第二情報記憶手段と、
を有するコンピュータが、
上記第一及び第二の情報記憶手段を参照して、上記外観デザイン又は建築デザインに設定されている東西南北の向きについて、所定の角度の範囲内であれば上記所定の土地の土地形状に収まる外観デザイン又は建築デザインの建物を検索する検索処理と、を実行する、
ことを特徴とする不動産情報検索方法。
【請求項６】
所定の土地に建築可能な外観デザイン又は建築デザインの建物を提案するためのコンピュータプログラムであって、
上記所定の土地の形状に係る土地形状と、上記所定の土地の東西南北の方角に係る土地方角とを含む第一の情報を記憶した第一情報記憶手段と、
上記外観デザイン又は建築デザインの形状と、上記外観デザイン又は建築デザインに設定されている東西南北の方角に係る建物の方角とを含む第二の情報を記憶した第二情報記憶手段と、
を有するコンピュータに対し、
上記第一及び第二の情報記憶手段を参照して、上記外観デザイン又は建築デザインに設定されている東西南北の向きについて、所定の角度の範囲内であれば上記所定の土地の土地形状に収まる外観デザイン又は建築デザインの建物を検索する検索処理と、を実行させる、
コンピュータプログラム。
【請求項７】
所定の外観デザイン又は建築デザインの建物が建築可能な土地を提案する方法であって、
土地の形状に係る土地形状と、当該土地の東西南北の方角に係る土地方角とを含む第一の情報を記憶した第一情報記憶手段と、
上記所定の外観デザイン又は建築デザインの形状と、上記所定の外観デザイン又は建築デザインに設定されている東西南北の方角に係る建物の方角とを含む第二の情報を記憶した第二情報記憶手段と、
を有するコンピュータが、
上記第一及び第二の情報記憶手段を参照して、上記土地の土地方角について、所定の角度の範囲内であれば上記所定の外観デザイン又は建築デザインの建物が収まる土地形状からなる土地を検索する検索処理と、を実行する、
ことを特徴とする不動産情報検索方法。
【請求項８】
所定の外観デザイン又は建築デザインの建物が建築可能な土地を提案するためのコンピュータプログラムであって、
土地の形状に係る土地形状と、当該土地の東西南北の方角に係る土地方角とを含む第一の情報を記憶した第一情報記憶手段と、
上記所定の外観デザイン又は建築デザインの形状と、上記所定の外観デザイン又は建築デザインに設定されている東西南北の方角に係る建物の方角とを含む第二の情報を記憶した第二情報記憶手段と、
を有するコンピュータに対し、
上記第一及び第二の情報記憶手段を参照して、上記土地の土地方角について、所定の角度の範囲内であれば上記所定の外観デザイン又は建築デザインの建物が収まる土地形状からなる土地を検索する検索処理と、を実行させる、
コンピュータプログラム。